(57)【特許請求の範囲】
【請求項１】
除湿機本体内に着脱可能に設けた排水タンクにおいて、
上方に開口部を備え、この開口部を形成するタンク側壁上端の一辺に排水側上端と、他の三辺に係合側上端とを設けたタンクケースと、
前記開口部に蓋を設け、この蓋は軟質プラスチック材料で形成されると共に、
前記タンクケースの前記タンク側壁上端に嵌合又は係止により取り付けられる係合部と、
前記排水タンクに溜まった水を捨てるときに排水を行う排水部とを設け、
前記排水部は、
前記係合部の内側に係合部と略並行に肉薄状の第１ヒンジ部と、
前記第１ヒンジ部の角から前記排水側上端側のタンク側壁に向かって延びる肉薄状の第２ヒンジ部と、
前記第１ヒンジ部と前記第２ヒンジ部とで区画され、前記蓋の面を形成する摺動面とを有していると共に、
前記摺動面の前記排水側上端側の端部と、前記排水側上端側のタンク側壁との間に隙間を備え、
前記摺動面は前記第１ヒンジ部と前記第２ヒンジ部で上下に凹凸可能とし、
前記摺動面に上向きに突起を備え、
前記突起を引き上げたときに、上に凸となった前記摺動面の端部と前記排水側上端の間に排水口を形成することを特徴とする除湿機のタンク。
【請求項２】
前記第２ヒンジ部は、第１ヒンジ部の角から延びて前記排水側上端側のタンク側壁の幅方向の略中央で接する２本の直線状とし、
前記摺動面の前記排水側上端側の端部における前記第１ヒンジ部から２本の前記第２ヒンジ部の接点を介して前記第１ヒンジ部にいたる直線寸法（ａ＋ｂ）は、前記摺動面の幅方向の前記第１ヒンジ部間の直線距離ｃよりも長くしたことを特徴とする請求項１記載の除湿機のタンク。
【発明の詳細な説明】
【技術分野】
【０００１】
この発明は、除湿機から発生するドレン水を集めて貯水し、満水時には本体から引き出して運搬し、排水をする除湿機の排水タンクの構造に関する。
【背景技術】
【０００２】
従来よりこの種のものに於いては、除湿機の枠体下部に排水タンクを備え、除湿運転で発生したドレン水を貯水し、この排水タンクが満水になることで運転を停止する。排水タンク内に貯水したドレン水を捨てるには排水タンクを除湿機側面より引き出す必要があり、この引き出し時に排水タンク後方にドレン水がこぼれたり、排水タンク運搬時に水跳ねで床面を汚す危険があった。これを防止するために、排水タンク上面に上下方向に取り外す蓋構造部材が取り付けられているものが多かった。（例えば、特許文献１参照）
また、前記蓋の角部のみを肉薄のヒンジを利用して部分的に折り曲げて部分的に排水口を形成するものが有った。
【先行技術文献】
【特許文献】
【０００３】
【特許文献１】特開２００１―６５９１９号公報
【発明の概要】
【発明が解決しようとする課題】
【０００４】
この従来例ように、満水の水捨てによる排水作業では、蓋全体又は一部を取り外す場合、プラスチック材料は経年変化による変形や硬化によってタンクケースへの着脱がスムーズに行うことができなくなり、着脱に手間がかかったり、正確に取り付けなかった場合には、除湿機への排水タンク着脱時に引っかかり等によって排水タンクが正常に装着できない問題があった。
【課題を解決するための手段】
【０００５】
この発明はこの点に着目し上記欠点を解決する為、特にその構成を、除湿機本体内に着脱可能に設けた排水タンクにおいて、上方に開口部を備え、この開口部を形成するタンク側壁上端の一辺に排水側上端と、他の三辺に係合側上端とを設けたタンクケースと、前記開口部に蓋を設け、この蓋は軟質プラスチック材料で形成されると共に、前記タンクケースの前記タンク側壁上端に嵌合又は係止により取り付けられる係合部と、前記排水タンクに溜まった水を捨てるときに排水を行う排水部とを設け、前記排水部は、前記係合部の内側に係合部と略並行に肉薄状の第１ヒンジ部と、前記第１ヒンジ部の角から前記排水側上端側のタンク側壁に向かって延びる肉薄状の第２ヒンジ部と、前記第１ヒンジ部と前記第２ヒンジ部とで区画され、前記蓋の面を形成する摺動面とを有していると共に、前記摺動面の前記排水側上端側の端部と、前記排水側上端側のタンク側壁との間に隙間を備え、前記摺動面は前記第１ヒンジ部と前記第２ヒンジ部で上下に凹凸可能とし、前記摺動面に上向きに突起を備え、前記突起を引き上げたときに、上に凸となった前記摺動面の端部と前記排水側上端の間に排水口を形成するものである。
【発明の効果】
【０００６】
この発明によれば、摺動面のたわみによる上下動によって排水口を形成するので、蓋の取り外しを行う必要が無く、摺動面のたわみの作用で摺動面は排水口を形成する最上部と、結露水を集める最下部の２つの位置を形成するのみなので、水捨て作業を簡単にし、構造が単純なのでコストダウンができる。
また、プラスチック材料は経年変化による変形や硬化によって、除湿機への排水タンク着脱時に引っかかり排水タンクが正常に装着できないと言うような問題も解消できる。
【図面の簡単な説明】
【０００７】
【図１】この発明一実施例の背面側の斜視図。
【図２】同側面の断面図。
【図３】同通常時の拡大斜視図。
【図４】同水捨て時の拡大斜視図。
【図５】同水捨て作業の説明図。
【図６】同摺動面のたわみ状態の説明断面図。
【発明を実施するための形態】
【０００８】
次にこの発明に係る除湿機を図面に示された一実施例で説明する。
１は除湿機の枠体で底板２上に前方の前ケース３と後方の後ケース４と上面を覆う天板５を設けて本体の外郭を構成している。
６は前記枠体１背面に形成された吸込口で、前記後ケース４に横長のスリットを多数備えた開口が設けられている。
【０００９】
前記吸込口６の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記蒸発器８の更に下流には蒸発器８と同じくフィンチューブ式の熱交換器からなる凝縮器９を備え、蒸発器８にて冷却された空気の加熱を行う。
前記凝縮器９下流にはシロッコファン型の送風ファン１０及びこのファン１０を駆動するファンモータ１１を設けている。
【００１１】
前記送風ファン１０の風下側の真上にはシーズヒータから成るヒーター１２を設け、このヒーター１２は衣類乾燥時や冬期間に室温が低くなり除湿の効率が低下する事を防止するものであり、消費電力は約４００〜５００Ｗ程である。
【００１２】
前記前ケース３の内側でファンモータ１１との間には送風ファン１０を包囲して前記吹出口１３側へ送風を導くファンケーシング１４を備え、このファンケーシング１４の中央からやや右側上部にはスタビライザ（図示せず）を設け、上方向の前記ヒーター１２及び吹出口１３へ向かって送風するものである。
【００１３】
前記天板５は略平面の上面部１５と、この上面部１５の略中央から背面上部にわたって前記吹出口１３を形成し、この吹出口１３内で前記上面部１５の略中央部分に水平ルーバー１６を設けている、この水平ルーバー１６は回転軸１７を中心に回動自在であり、回動によって真上方から真後ろ側（背面側）水平方向の間（約９０度）の風向を変化し、除湿機の運転停止時には自動で、後ろ側水平方向吹出位置にて上面部１５に収納される。
【００１４】
前記送風ファン１０からの送風は前面側から上面中央の水平ルーバー１６に向けて送風され、水平ルーバー１６が開いた状態では、乾燥空気を真上方向に送風することで除湿機の上方に位置する洗濯物の乾燥が効率よく行われる。また、水平ルーバー１６が閉じた状態（上面部に収納された状態）では、乾燥空気を真後ろの背面側に送風することで室内全体の除湿や押し入れ等の部分的な除湿運転に適するものである。
【００１５】
前記吸込口６と蒸発器８、凝縮器９、送風ファン１０、吹出口１３を連通して送風経路１８を形成している。
【００１６】
１９は取手で、転倒時には天板５の吹出口１３左右に形成された溝２０によって、中央から後ろ側にかけて収納され、起立時には天板５の略中央の溝２０に設けられた取手用軸（図示せず）を中心として回動して上面中央上方に位置するものであり、回動自在でコの字型に形成され、使用時には回動して吹出口７上方に位置し除湿機運搬に使用する。
【００１７】
２１は前記天板５の前側端部に設けられた操作部で、運転スイッチやタイマースイッチ等のスイッチ類（図示せず）や運転ランプ等の表示部（図示せず）を備え、この操作部２１の裏面であり、下方にはスイッチやランプが固定され、回路構成を備えた操作部基盤２２が設けられている。
【００１８】
前記蒸発器８の下方には結露水を受けるドレン皿２３を設けている。２４は一方をこのドレン皿２３の底面に接続し、他方を排水タンク２５の上部に位置させた排水路で、前記ドレン皿２３で集めた結露水を前記排水タンク２５へ導くものである。
【００１９】
２６は透明なプラスチック材料で形成されたタンクケースで、上方には開口部２７を備え、この開口部２７を形成する側壁上端の一部（一辺）に排水側上端２８を設け、他の三辺に係合側上端２９を設けている。
【００２０】
３０は前記開口部２７に取り付ける蓋で、ポリエチレンやポリプロピレン等の軟質プラスチック材料で形成され、前記タンクケース２６の係合側上端２９に嵌合又は係止により取り付けられる係合部３１と、排水側上端２８を含むタンク側壁３２との間に隙間３３を設けて上下に摺動する排水部３４を備えている。前記係合部３１の内側１０〜２０ｍｍに係合部３１と略平行に肉薄状の第１ヒンジ部３５を設け、この第１ヒンジ部３５の角部３６から排水部３４の略中央に向かって第２ヒンジ部３７を設け、第１ヒンジ部３５と排水部３４で囲まれた柔軟な摺動面３８を形成している。また、蓋３０の材質は上下動によって摺動面３８が程よくたわんで上下方向の摺動が可能で、上方向に吐出した状態では形状を安定して維持できる最低限の硬度は必要なものである。
【００２１】
３９は前記摺動面３８の排水部３４近傍に上向きに設けた突起で、摺動面３８を上下動させる時（特に摺動面３８が下側に凹んでいる時に引き上げる）に使用する摘みの役割をするものである。４０は前記突起３９を引き上げて最上部の位置にしたときに排水側上端２８を越えて形成される排水口である。４１はタンクケース２６の前面上部に備えたタンク取手で、排水タンク２５を除湿機の下部に横方向に抜き差しするためにしようする。また、排水タンク２５内には満水を検知するためのフロート（図示せず）や排水タンク２５の近傍には、満水時の前記フロートの動きを検出して除湿機の運転を停止すると共にランプ等で表示する満水検知装置（図示せず）を備えている。
【００２２】
結露水の流れと排水処理の手順について説明すれば、除湿機の運転により蒸発器８で発生した結露水はドレン皿２３で集められ排水路２４を通って排水タンク２５の上面（摺動面３８）に流れ、除湿機にセットした状態では摺動面３８は下側に下り勾配であるので、摺動面３８をつたわって排水タンク２５に貯水される。水位が徐々に上昇して満水を検知すれば除湿機は停止して満水の表示を行う。使用者は除湿機から排水タンク２５を抜いて、洗面所等まで排水タンク２５を持ち運び、突起３９を上方向に引き上げることで、摺動面３８がたわんだのち上方向に突出し、排水部３４の先端が排水側上端２８を越えて三角形型に排水口４０が形成され、排水タンク２５を傾け排水口４０から結露水を流して捨てる。次に、空になった排水タンク２５の突起３９を下方に押し下げれば摺動面３８が下方に凹ませて通常の状態に戻し、除湿機に差し入れてセットすれば除湿機の再運転を行うことができるものである。
【００２３】
また、図６のように摺動面３８の寸法はａ＋ｂ＞ｃであり、突起３９を上方向に引き上げる時に摺動面３８の柔軟性で変形して図４の状態になるもので、ｃの寸法を一定とした場合、ａ＋ｂの寸法が大きくなれば摺動面３８はより大きな柔軟性を必要とするものである。
【００２４】
このように、摺動面３８のたわみによる上下動によって排水口４０を形成するので、蓋３０の取り外しを行う必要が無く、摺動面３８のたわみの作用で摺動面３８は排水口４０を形成する最上部と、結露水を集める最下部の２つの位置を形成するのみなので、水捨て作業を簡単にし、構造が単純なのでコストダウンができるものである。また、プラスチック材料は経年変化による変形や硬化によって、除湿機への排水タンク着脱時に引っかかり等によって排水タンクが正常に装着できないと言うような問題も無いものである。また、蓋３０の排水部４０とタンク側壁３２の間の隙間３３は摺動面３８が上下できるだけの、小さな隙間なので、水捨て時の排水タンク２５から水が溢れるようなことは極めて少ないものである。
【符号の説明】
【００２５】
２５  排水タンク
２６  タンクケース
２７  開口部
３０  蓋
３１  係合部
３４  排水部
３５  第１ヒンジ部
３７  第２ヒンジ部
３８  摺動面
３９  突起
４０  排水口
【図１】
0006392672.tif 000002
【図２】
0006392672.tif 000003
【図３】
0006392672.tif 000004
【図４】
0006392672.tif 000005
【図５】
0006392672.tif 000006
【図６】
0006392672.tif 000007